(57)【要約】      （修正有）【課題】携帯タイプの点滴構造を提供する。【解決手段】主に空気注入構造２及び袋で構成された携帯タイプの点滴構造であり、該空気注入構造２はモーター２１と空気貯蔵装置２２を含み、該モーターと空気貯蔵装置２２の間に相連接するパイプ２３を設けることで、モーター２１が該空気貯蔵装置２２に空気を注入することができる。該袋に隣接する第一、第二収納スペースを設け、該二つの収納スペースは袋の上にそれぞれ密閉できる開口口を設ける。該第一収納スペース３３に点滴袋を入れ、該第二収納スペース３４に空気注入装置を入れる。二つの開口口を密閉してから、モーター２１を運転し、空気貯蔵装置２２に空気を注入すると、該空気貯蔵装置２２は膨張し、第一収納スペース３３内にある点滴袋を圧迫することで、点滴袋の点滴が流れ出ることができる。【選択図】図1
0003142209.tif 000002
【実用新案登録請求の範囲】
【請求項１】
空気注入構造及び袋を含み、
該空気注入構造はモーターと空気貯蔵装置を含み、該モーターと空気貯蔵装置の間に相連接するパイプを設けることで、該モーターが該空気貯蔵装置に空気を注入することができ、
袋は二つの隣接する第一、第二収納スペースを設け、該二つの収納スペースは袋の上にそれぞれ密閉できる開口口を設け、該第一収納スペースに点滴袋を入れ、該第二収納スペースに上述の空気注入構造を入れ、該二つの開口口を密閉することで、モーターが空気貯蔵装置に空気を注入するとき、該空気貯蔵装置は膨張し、第一収納スペース内にある点滴袋を圧迫することで、点滴袋内の点滴が流れ出ることを特徴とする携帯タイプの点滴構造。
【請求項２】
前記袋は患者が身につけられるベルトを含むことを特徴とする請求項1記載の携帯タイプの点滴構造。
【請求項３】
前記二つの開口口にそれぞれファスナーを設け、密閉できる状態にすることを特徴とする請求項1記載の携帯タイプの点滴構造。
【請求項４】
前記二つの開口口にそれぞれマジックテープ（登録商標）を設け、密閉できる状態にすることを特徴とする請求項1記載の携帯タイプの点滴構造。
【請求項５】
前記空気貯蔵装置はメイン空気貯蔵袋及びサブ空気貯蔵袋を含み、該メイン空気貯蔵袋はモーターと連接し、該サブ空気貯蔵袋はメイン空気貯蔵袋と相連接することを特徴とする請求項1記載の携帯タイプの点滴構造。
【請求項６】
前記サブ空気貯蔵袋に空気排出パイプを設け、該袋に該空気排出パイプを出す穴を設けることを特徴とする請求項5記載の携帯タイプの点滴構造。
【請求項７】
前記メイン空気貯蔵袋とモーターの間に空気バルブを連結し、該空気バルブに感知器を設け、メイン空気貯蔵袋内の気体の容量を感知し、
該感知器はモーターと連接し、メイン空気貯蔵袋内の気体が不足すると感知した場合、空気バルブを開き、モーターを起動して空気注入を行うことを特徴とする請求項5記載の携帯タイプの点滴構造。
【請求項８】
前記サブ空気袋はアラーム装置と連結し、サブ空気貯蔵袋内の気体が一定量まで満たした場合、該アラーム装置は、点滴がまもなく終了することを、ユーザーに知らせることを特徴とする請求項5記載の携帯タイプの点滴構造。
【請求項９】
前記第二収納スペースの中に仕切り板を設け、モーター及びメイン空気貯蔵袋を隔てることを特徴とする請求項1記載の携帯タイプの点滴構造。
【請求項１０】
前記空気注入構造は別途手動空気注入装置を含み、空気貯蔵装置と連接することを特徴とする請求項1記載の携帯タイプの点滴構造。
【考案の詳細な説明】
【技術分野】
【０００１】
本考案は携帯タイプの点滴構造に関し、特に圧迫点滴袋の方法と構造を利用し、点滴袋を携帯しても点滴液は流れることができ、シンプルな構造且つ操作が便利である携帯タイプの点滴構造に関する。
【背景技術】
【０００２】
医療では患者が迅速に体力を回復させるには、ブドウ糖及び其の他の栄養剤などの注射をする、或いは長い時間をかけて、治療薬物にブドウ糖液或いは生理食塩水を混ぜたものを、点滴を用いて血管からゆっくりと体内に流す。よって、病院などの治療施設では、点滴袋を点滴スタンドにかけている風景がよく見られる。
【０００３】
現在の点滴スタンドは患者がトイレ或いは散歩しやすいよう、移動できる構造であるため、患者は自ら点滴スタンドを押して行動範囲を広げることができる。注射という医療行為を維持するために、現在の点滴スタンドは、点滴袋に入っている液体薬が下に流れる原理を使って、構造的に全てハンガリングタイプのデザインとなっている。該スタンドの構造はスペースを必要とするだけでなく、患者が行動する際に、重苦しいスタンドを押して歩かなければならない。病状が比較的軽く、ベッドから降りられる患者にとっては、現在の点滴スタンドのデザインは、行動とスペース的に不便であるため、改善する必要がある。
【特許文献１】特開平１０−３１４３０３号公報
【考案の開示】
【考案が解決しようとする課題】
【０００４】
前記従来構造の欠点を解決するため、本考案は構造がシンプルであり、操作が非常に簡単で、ユーザーが随時携帯できる点滴の構造を提供することを主な目的とする。
【課題を解決するための手段】
【０００５】
前記課題を解決するために、本考案は携帯タイプの点滴構造を提供するものであり、空気注入構造及び袋を含み、該空気注入構造はモーター及び空気貯蔵装置を含み、該モーターと空気貯蔵装置の間にパイプを設け、互いに連通することで、モーターが該空気貯蔵装置に空気を注入する。該袋に隣接する第一及び第二収納スペースを設け、該二つの収納スペースは袋本体の上にそれぞれ密閉できる開口口を設ける。該第一収納スペースに点滴袋を入れ、該第二収納スペースに空気注入構造を入れる。該二つの開口口を密閉することで、モーターが空気貯蔵装置に空気を注入する際、該空気貯蔵装置は膨張し、第一収納スペースにある点滴袋を圧迫することで、点滴袋にある点滴液が流れる。
【考案の効果】
【０００６】
本考案はモーターと二つの隣接する収納スペースを設け、該第一収納スペースに点滴袋を入れ、該第二収納スペースに空気注入装置を入れる。空気を注入し、該空気貯蔵装置が膨張することで、別の収納スペースに収まっている点滴袋を圧迫することで点滴液が流れ出るため、ハンガリングタイプでなくても、点滴をすることができ、外出する際でも便利である。
【考案を実施するための最良の形態】
【０００７】
図1〜図4が示すのは、本考案の点滴構造1の実施例であり、空気注入構造2及び袋3で構成する。該空気注入構造2はモーター21と空気貯蔵装置22を含み、該モーター21と空気貯蔵装置22の間にパイプ23を設けることで、相通じることができ、該モーター21は該空気貯蔵装置22に空気を注入することができる。該空気貯蔵装置22はメイン空気貯蔵袋221とサブ空気貯蔵袋222を含み、該メイン空気貯蔵袋221はモーター21と連接し、該サブ空気貯蔵袋222はメイン空気貯蔵袋221と連接し、該サブ空気貯蔵袋222に別途空気排出パイプ223を設ける。該メイン空気貯蔵袋221とモーター21の間に空気バルブ24を連接し、該空気バルブ24は感知器241を設置することで、メイン空気貯蔵袋221の気体容量をチェックする。また、該感知器241はモーター21と連結するため、感知器241がメイン空気貯蔵袋221内の気体が足りないとチェックしたとき、空気バルブ24を開いて、モーター21をコントロールして空気注入を行う。
【０００８】
該袋3は患者が身につけられるベルト31および袋3は空気排出パイプ223を出す穴32を具有する。該袋3に二つの隣接する第一、第二収納スペース33、34を設け、該二つの収納スペース33、34は袋3の上にそれぞれ密閉できる開口331、341を設ける。該二つの開口331、341にそれぞれファスナー332、342或いはマジックテープ（登録商標）を設けることで、密閉状態を形成する。該第一収納スペース33に点滴袋4を入れ、該第二収納スペース34は上述の空気注入構造2を入れる。該第二収納スペース34の中に仕切り板343を設け、空気注入構造のモーター21及びメイン空気貯蔵袋221をそれぞれに入れる。密閉できる二つの開口331、341を介し、モーター21が該空気貯蔵装置22に空気を注入する際、該空気貯蔵装置22は膨張し、第一収納スペース33内にある点滴袋4を圧迫することで、点滴袋4にある点滴液が流れ出る。
【０００９】
図1〜図4に示すように、まず点滴袋4を第一収納スペース33に入れた後、第一収納スペース33の開口331を密閉し、メイン空気貯蔵袋221内にある気体を飽和状態にする。注射を行う際、サブ空気貯蔵袋222が次第に膨張するため、絶えず第一収納スペース33内の点滴袋4を圧迫することで、点滴袋4より持続して薬が流れ出る。点滴袋4内の液量が次第に減少し、点滴袋4が次第に平たくなっても、サブ空気貯蔵袋222の圧迫により、最後まで点滴することができる。
【００１０】
感知器241がメイン空気貯蔵袋221内の気体が不足と感知した場合、直ちに空気バルブ24を開き、モーター21を連動して空気注入を始める。メイン空気貯蔵袋221内の気体が一定量に達すると、直ちに空気バルブ24とモーター21をストップする。
【００１１】
該サブ空気袋222とアラーム装置224が連接し、サブ空気貯蔵袋222内の空気が一定量まで満たした際に、該アラーム装置224は音を発し、点滴袋4内の点滴液がまもなく終了することをユーザーに知らせる。該空気注入構造2は別途手動空気注入装置25を含み、空気貯蔵装置22と連接するため、モーター21が運転できない場合でも、ユーザーは該手動の空気注入装置25を使って、空気を注入することができる。
【００１２】
ユーザーは該袋3に設けるベルト31を使い、点滴袋4を背負う或いは腰に巻くことができ、歩き回る或いは外出(図5を参照)するのに便利であり、従来の点滴スタンドのように、手が空くだけでなく、スペースをとらず、見た目も綺麗である。
【００１３】
以上の実施例による本考案の詳細な説明は本考案の範囲を制限するものではない。本技術に熟知する者が変更および調整を行っても本考案の重要な意義は失われず、本考案の範囲に含まれる。
【図面の簡単な説明】
【００１４】
【図１】本考案の組み立て前の立体外観略図である。
【図２】本考案の組み立て後の立体外観略図である。
【図３】図2のa-a’の断面図である。
【図４】本考案の空気注入構造の各部品と連結する関連図である。
【図５】ユーザーが本考案の物品を腰に付けた時の状態略図である。
【符号の説明】
【００１５】
1    携帯タイプの点滴構造
2    空気注入構造
21  モーター
22  空気貯蔵装置
221  メイン空気貯蔵袋
222  サブ空気貯蔵袋
223  空気排出パイプ
224 アラーム装置
23 パイプ
24 空気バルブ
241  感知器
25  手動空気注入装置
3    袋
31  ベルト
32  穴
33  第一収納スペース
331  開口
332  ファスナー
34  第二収納スペース
341  開口
342  ファスナー
343  仕切り板
4  点滴袋
【図１】
0003142209.tif 000003
【図２】
0003142209.tif 000004
【図３】
0003142209.tif 000005
【図４】
0003142209.tif 000006
【図５】
0003142209.tif 000007